(57)【要約】  【課題】  表示されている情報が、使用者の観察対象の関連情報であることを容易に確信できるようにした情報端末装置を提供すること。  【解決手段】  表示素子と、視線検出手段（１４）と、画像取得手段（１５）と、視線検出手段によって得た視線情報と画像取得手段によって取得した画像から画像内における注視点を特定する注視点特定処理部（１６１）と関連情報が注視対象の近傍に位置するように表示素子上に表示する関連情報表示処理部（１６３）とを有する信号処理手段（１６）と、情報端末装置の内部又は外部に設けられたデータベースファイル（１８１）から注視点における注視対象に関する少なくとも１つの関連情報を取得する関連情報取得処理部（１７２）を有する画像情報処理手段（１７）と、表示素子からの光を反射させるように本体部に配置されたビームコンバイナーと、を備える。【選択図】  図３
2006119297.tif 000002
【特許請求の範囲】
【請求項１】
表示素子と、
視線検出手段と、
画像取得手段と、
信号処理手段と、
画像情報処理手段と、を備えた情報端末装置であって、
前記画像情報処理手段は、関連情報取得処理部を有し、
前記信号処理手段は、注視点特定処理部と関連情報表示処理部を有し、
前記注視点特定処理部は、前記視線検出手段によって得た視線情報と前記画像取得手段によって取得した画像から、前記画像内における注視点を特定し、
前記関連情報取得処理部は、前記情報端末装置の内部又は外部に設けられたデータベースファイルから、前記注視点における注視対象に関する少なくとも１つの関連情報を取得し、
前記関連情報表示処理部は、前記関連情報が前記注視対象の近傍に位置するように、前記関連情報を前記表示素子上に表示することを特徴とする情報端末装置。
【請求項２】
ビームコンバイナーを備え、
前記ビームコンバイナーは、前記表示素子からの光を反射させるように前記本体部に配置されていることを特徴とする請求項１に記載の情報端末装置
【請求項３】
前記関連情報表示処理部が、前記注視対象に関連する関連情報と、予め選択した対象に関連する少なくとも１つの関連情報とを、各対象の近傍に位置するように、前記関連情報の各々を前記表示素子上に表示することを特徴とする請求項１または請求項２に記載の情報端末装置。
【請求項４】
情報入力部を備え、
該情報入力部によって、対象を予め選択することを特徴とする請求項３に記載の情報端末装置。
【請求項５】
前記信号処理手段は、さらに注視範囲算出処理部を有し、
前記注視範囲算出処理部が、前記注視点を基準とした注視範囲を算出し、
前記関連情報表示処理部が、前記注視範囲内に存在する対象の近傍に位置するように、前記関連情報を前記表示素子上に表示することを特徴とする請求項１乃至請求項４のいずれか１項に記載の情報端末装置。
【請求項６】
前記関連情報表示処理部が、前記注視範囲内に表示可能な関連情報のみを、前記表示素子上に表示することを特徴とする請求項５に記載の情報端末装置。
【請求項７】
予め選択した対象を前記注視範囲が含む時に、前記関連情報表示処理部が、対象の近傍に位置するように、前記関連情報を前記表示素子上に表示することを特徴とする請求項５に記載の情報端末装置。
【請求項８】
前記画像情報処理手段が、さらに画像マッチング処理部を有しており、
前記画像マッチング処理部は、前記画像を用いて、前記データベースファイル内に存在する複数の参照画像とのマッチングを行い、
前記関連情報は、前記マッチングによって適合した参照画像に付与された情報であることを特徴とする請求項１乃至請求項７の何れか１項に記載の情報端末装置。
【請求項９】
前記画像マッチング処理部は、前記画像取得手段によって取得した画像ついてマッチングを行うことを特徴とする請求項８に記載の情報端末装置。
【請求項１０】
前記画像マッチング処理部は、前記注視範囲内の画像についてマッチングを行うことを特徴とする請求項８に記載の情報端末装置。
【請求項１１】
前記関連情報表示処理部は、前記注視点が移動した際に、移動前の注視点における関連情報を所定の時間だけ表示することを特徴とする請求項１乃至請求項１０の何れか１項に記載の情報端末装置。
【請求項１２】
前記注視範囲が、前記注視点を中心とし、前記画像取得手段の画角の５０％以内の範囲であることを特徴とする請求項５乃至請求項１１の何れか１項に記載の情報端末装置。
【請求項１３】
前記注視範囲が、前記注視点を中心とし、前記ビームコンバイナーを介して観察した時の視野角の５０％以内の範囲であることを特徴とする請求項５乃至請求項１２の何れか１項に記載の情報端末装置。
【請求項１４】
前記注視範囲が、前記注視点を中心とした弁別視野以内の範囲であることを特徴とする請求項５乃至請求項１３の何れか１項に記載の情報端末装置。
【請求項１５】
前記注視範囲が、前記注視点を中心とした弁別視野より大きく、弁別視野の２倍以内の範囲であることを特徴とする請求項５乃至請求項１３の何れか１項に記載の情報端末装置。
【請求項１６】
前記関連情報表示処理部が、前記関連情報の全てを、前記対象の近傍に一括表示することを特徴とする請求項１乃至請求項１５の何れか１項に記載の情報端末装置。
【請求項１７】
前記関連情報表示処理部が、複数の前記関連情報を、前記対象の近傍に分散して表示することを特徴とする請求項１乃至請求項１６の何れか１項に記載の情報端末装置。
【請求項１８】
表示位置に応じて、前記関連情報の内容が決まっていることを特徴とする請求項１乃至請求項１７の何れか１項に記載の情報端末装置。
【請求項１９】
表示位置に応じて、前記関連情報の情報量が決まっていることを特徴とする請求項１乃至請求項１８の何れか１項に記載の情報端末装置。
【請求項２０】
前記注視点と前記注視対象との距離に応じて、前記関連情報の内容が決まっていることを特徴とする請求項１乃至１９何れか１項に記載の情報端末装置。
【請求項２１】
前記注視点と前記注視対象の位置との距離に応じて、前記関連情報の情報量が決まっていることを特徴とする請求項１乃至請求項２０の何れか１項に記載の情報端末装置。
【請求項２２】
前記注視点と前記注視対象の位置との距離に応じて、前記関連情報の表示色が変化することを特徴とする請求項１乃至請求項２１の何れか１項に記載の情報端末装置。
【請求項２３】
前記注視点と前記注視対象との距離に応じて、前記関連情報の文字の大きさが変化することを特徴とする請求項１乃至請求項２２の何れか１項に記載の情報端末装置。
【請求項２４】
複数の前記関連情報のうち、前記注視点に最も近い対象に関連する関連情報のみが表示されることを特徴とする請求項１乃至請求項２３の何れかに記載の情報端末装置。
【請求項２５】
前記対象に関連する関連情報が、一定時間表示しつづけることを特徴とする請求項１乃至請求項２４の何れかに記載の情報端末装置。
【請求項２６】
前記関連情報が、重ならないように表示されることを特徴とする請求項１乃至請求項２５の何れか１項に記載の情報端末装置。
【請求項２７】
前記対象近傍に、矢印が表示されることを特徴とする請求項１乃至は２６の何れか１項に記載の情報端末装置。
【請求項２８】
前記矢印が点滅することを特徴とする請求項２７に記載の情報端末装置。
【請求項２９】
前記対象の輪郭、あるいは前記矢印の輪郭が強調されることを特徴とする請求項１乃至２８の何れか１項に記載の情報端末装置。
【請求項３０】
前記輪郭が点滅することを特徴とする請求項２９に記載の情報端末装置。
【請求項３１】
前記対象の少なくとも一部に着色が行われることを特徴とする請求項１乃至３０の何れか１項に記載の情報端末装置。
【請求項３２】
前記対象の色と同じ色で、前記関連情報の表示が行われることを特徴とする請求項３１に記載の情報端末装置。
【請求項３３】
前記対象以外がマスクされることを特徴とする請求項１乃至３２の何れか１項に記載の情報端末装置。
【請求項３４】
前記対象が拡大して表示されることを特徴とする請求項１乃至３４の何れか１項に記載の情報端末装置。
【請求項３５】
前記対象のみが、立体感を強調して表示されることを特徴とする請求項１乃至３４の何れか１項に記載の情報端末装置。
【発明の詳細な説明】
【技術分野】
【０００１】
本発明は、使用者の視線を検出する手段、外界の画像を取得する手段、及びそれらから得られた情報を処理する手段、並びに表示素子を有する情報端末装置に関する。
【背景技術】
【０００２】
近年、情報端末装置は、表示素子に一度に多くの情報を表示することが要求されている。ところが、他方において、装置の小型化が進んでいるため、表示素子をあまり大きくすることはできない。そのため、表示される画像の判読等が困難となってしまうことがある。そこで、表示素子に表示される画像を、使用者の視野全域で観察することが可能となるような装置が提案されている。このような装置としては、例えば、表示素子に表示される画像を反射、拡大して表示するヘッドマウントディスプレイ装置（以下、HMD装置と云う。特許文献１参照）や、それらの画像をホログラム素子により拡大投影する携帯電話（特許文献２参照）といったものがある。
【０００３】
また、これらの情報端末装置には、図１７で示すように、使用者の観察している外界の像（以下、外界像と云う。図１７（ａ））と画像表示素子の表示画像（以下、電子像と云う。図１７（ｂ））を重ね合わせ、その重ね合わせた画像（以下、重畳画像と云う。図１７（ｃ））を使用者が観察することができるものも提案されている。（特許文献１，２参照）
【０００４】
さらに、使用者の視線の位置、即ち注視点がどこにあるのかを視線検出手段によって検出し、その注視点に基づいて、表示する電子像を変化させるようにした情報端末装置も提案されている。（特許文献１，２参照）
【０００５】
また、注視点から使用者の観察対象を特定し、その観察対象の関連情報を表示素子に表示すると言った処理を行うようにすることも知られている。（特許文献１参照）
【特許文献１】特開平９−２１１３７６号
【特許文献２】特開２００１−３０８９９７号
【発明の開示】
【発明が解決しようとする課題】
【０００６】
しかしながら、特許文献１では、図４に示されているように、注視対象に関連する関連情報が、常に固定された位置に表示される。そのため、使用者の観察する対象がその表示位置から離れている場合、その情報が本当に使用者の観察対象についての関連情報であるのかどうかを確信することが困難であった。
【０００７】
本発明は、このような問題点を解決するためになされたものであり、その目的とするところは、表示されている情報が、使用者の観察対象の関連情報であることを容易に確信できるようにした情報端末装置を提供することである。
【課題を解決するための手段】
【０００８】
上記の目的を達成するために、本発明の情報端末装置は、表示素子と、視線検出手段と、画像取得手段と、信号処理手段と、画像情報処理手段と、を備えた情報端末装置であって、前記画像情報処理手段は、関連情報取得処理部を有し、前記信号処理手段は、注視点特定処理部と関連情報表示処理部を有し、前記注視点特定処理部は、前記視線検出手段によって得た視線情報と前記画像取得手段によって取得した画像から、前記画像内における注視点を特定し、前記関連情報取得処理部は、前記情報端末装置の内部又は外部に設けられたデータベースファイルから、前記注視点における注視対象に関する少なくとも１つの関連情報を取得し、前記関連情報表示処理部は、前記関連情報が前記注視対象の近傍に位置するように、前記関連情報を前記表示素子上に表示する。
【０００９】
好ましくは、本発明の情報端末装置は、ビームコンバイナーを備え、前記ビームコンバイナーは、前記表示素子からの光を反射させるように前記本体部に配置されている。
【００１０】
好ましくは、前記関連情報表示処理部が、前記注視対象に関連する関連情報と、予め選択した対象に関連する少なくとも１つの関連情報とを、各対象の近傍に位置するように、前記関連情報の各々を前記表示素子上に表示する。
【００１１】
好ましくは、本発明の情報端末装置は、情報入力部を備え、該情報入力部によって、対象を予め選択する。
【００１２】
好ましくは、前記信号処理手段は、さらに注視範囲算出処理部を有し、前記注視範囲算出処理部が、前記注視点を基準とした注視範囲を算出し、前記関連情報表示処理部が、前記注視範囲内に存在する対象の近傍に位置するように、前記関連情報を前記表示素子上に表示することを特徴とする。
【００１３】
さらに好ましくは、前記関連情報表示処理部が、前記注視範囲内に表示可能な関連情報のみを、前記表示素子上に表示するようにしても良い。
【００１４】
さらに好ましくは、予め選択した対象を前記注視範囲が含む時に、前記関連情報表示処理部が、対象の近傍に位置するように、前記関連情報を前記表示素子上に表示するようにしても良い。
【００１５】
好ましくは、前記画像情報処理手段が、さらに画像マッチング処理部を有しており、前記画像マッチング処理部は、前記画像を用いて、前記データベースファイル内に存在する複数の参照画像とのマッチングを行い、前記関連情報は、前記マッチングによって適合した参照画像に付与された情報である。
【００１６】
さらに好ましくは、前記画像マッチング処理部は、前記画像取得手段によって取得した画像、または、前記注視範囲内の画像ついてマッチングを行う。
【００１７】
好ましくは、前記関連情報表示処理部は、前記注視点が移動した際に、移動前の注視点における関連情報を所定の時間だけ表示する。
【００１８】
好ましくは、前記注視範囲が、前記注視点を中心とした前記画像取得手段の画角の５０％以内の範囲もしくは前記注視点を中心とした前記ビームコンバイナーを介して観察した時の視野角の５０％以内の範囲、または、前記注視点を中心とした弁別視野以内、該弁別視野より大きく該弁別視野の２倍以内の範囲とする。
【００１９】
好ましくは、前記関連情報表示処理部が、前記関連情報の全てを前記対象の近傍に一括して、又は、複数の前記関連情報を前記対象の近傍に分散して表示するように構成する。
【００２０】
また、好ましくは、前記注視対象を基準とした前記関連情報の相対的な表示位置に応じて、前記関連情報の内容、又は情報量が決まっているようにする。
【００２１】
また、好ましくは、前記注視点と前記注視対象の位置との距離に応じて、前記関連情報の内容、情報量、表示色、又は文字の大きさが決まっているようにする。
【００２２】
また、好ましくは、複数の前記関連情報のうち、前記注視点に最も近い対象に関連する関連情報のみが表示されるように構成する。
【００２３】
また、好ましくは、前記対象に関連する関連情報が、一定時間表示しつづけるように構成する。
【００２４】
また、好ましくは、前記関連情報が、重ならないように表示されるように構成する。
【００２５】
また、さらに好ましくは前記対象を矢印で指し示す、さらに好ましくは前記対象の輪郭を強調して表示する、さらに好ましくは前記対象の少なくとも一部に色をつけて表示する、さらに好ましくは前記対象以外をマスクして表示する、さらに好ましくは前記対象を拡大して表示する、又はさらに好ましくは前記表示素子上に前記対象のみ立体感を強調して表示するように構成する。
【００２６】
さらに好ましくは、前記矢印、又は前記輪郭を点滅させるように構成する。
【００２７】
さらに好ましくは、前記対象の色と同じ色で前記関連情報を表示するように構成する。
【発明の効果】
【００２８】
本発明によれば、表示されている情報が、使用者の観察対象の関連情報であることを容易に確信することのできる情報端末装置を提供することが可能となる。
【発明を実施するための最良の形態】
【００２９】
本発明の実施の形態を、図示した実施例によって説明する。
【実施例】
【００３０】
まず、本実施例の外観構成を図１及び図２を用いて説明する。図１は本実施例の携帯情報端末装置の概略図であり、図２は図１の携帯情報端末装置を使用している状態を上方から示す説明図である。本実施例における携帯情報端末装置は、これらの図に図示したように、本体部１と、画像表示用の表示素子１１と、複数のスイッチからなる情報入力部１２と、ビームコンバイナー１３と、視線検出手段１４と、画像取得手段１５とを備えている。ここで、表示素子１１は、本体部１に一体的に取り付けられている。また、ビームコンバイナー１３は、本体部１に折りたたみ可能に取り付けられている。なお、情報入力部１２は、必ずしも必要ではない。
【００３１】
そして、本実施例の携帯情報端末装置は、図２に示されているように、使用状態においては、ビームコンバイナー１３が表示素子１１からの光１１１を、使用者の眼へと反射するようになっている。この構成により、使用者は、ビームコンバイナー１３を通して見ることのできる外界像と、表示素子１１に表示される電子像とを重畳して観察することができる。
【００３２】
次に、本実施例の内部構成を、図３を用いて説明する。本体部１は内部に、信号処理手段１６と、画像情報処理手段１７を備えている。ここで、信号処理手段１６は、注視点特定処理部１６１、注視範囲算出処理部１６２、及び関連情報表示処理部１６３を有する。また、画像情報処理手段１７は、画像マッチング処理部１７１、及び画像情報取得処理部１７２を有する。
【００３３】
この構成において、視線検出手段１４によって、使用者の視線情報が検出される。また、画像取得手段１５によって、使用者が見ている範囲の画像が取得される。そして、検出された視線情報と得られた画像の情報とから、注視点特定処理部１６１が、取得した画像内における使用者の注視点を特定する。その後、特定された注視点を基準として、注視範囲算出処理部１６２が注視範囲を算出する。
【００３４】
次に画像情報処理手段１７において、画像マッチング処理部１７１が、取得された画像のうち、注視範囲内の画像の情報を用いて、画像マッチングを行う。この画像マッチングでは、データベース１８に存在するデータベースファイル１８１内の画像（参照画像）が用いられる。ここで、データベース１８は、携帯情報端末の内部に設けられている。なお、データベース１８は、外部装置（携帯情報端末とは別の情報端末）に設けてもよい。また、参照画像には、少なくとも１つの関連情報が付与されている。
【００３５】
そして、画像マッチングによって、注視範囲内の画像に対応する参照画像が特定された場合、関連情報取得処理部１７２が、データベースファイル１８１内から、参照画像に付与された少なくとも１つの関連情報を取得する。なお、関連情報は１つであっても、複数であっても構わない。
【００３６】
最後に信号処理手段１６において、関連情報表示処理部１６３が、使用者が注視している対象の近傍に位置するように、関連情報を表示素子１１上に表示する。
【００３７】
なお、画像マッチング処理部１７１によって行われるのマッチングは、上記のように算出された注視範囲の画像の情報を用いて行うことに限定されず、画像情報取得手段１５によって取得された画像の情報のうち、ビームコンバイナー１３を通して見ることのできる全域の画像の情報を用いて行っても構わない。
【００３８】
また、本実施例において算出された注視範囲２１は、図４に示すように、視野角の５０％の範囲としている。この視野角は、ビームコンバイナー１３を介して、使用者が観察する範囲で決まる角度である。また、注視範囲２１は、注視点２を中心とした範囲である。
なお、注視範囲２１は、図５に示すように、注視点２を中心とした弁別視野３の２倍以内の範囲とすると好ましい。注視範囲２１が、視野角の５０％よりも大きな範囲であったり、弁別視野３の２倍よりも大きな範囲であると、情報の量が多くなりすぎる。そのため、使用者が情報を認識することが困難となってしまう。
【００３９】
本実施例の携帯情報端末装置では、上記したように、関連情報表示処理部１６３が、取得した関連情報を表示素子１１に表示する。そして、その関連情報を、ビームコンバイナー１３を介して、使用者が観察する。このようにすることによって、使用者は、注視している観察対象（外界像）と関連情報（電子像）を、重畳して観察することができる。そこで、次に、重畳画像について説明する。この重畳画像は、ビームコンバイナー１３を介して、観察することのできる画像である。
【００４０】
その重畳画像の一例を図６（ａ）に示す。本実施例において、４ａは、注視点２に存在する注視対象（以下、対象は全てビルとする）、５ａ1，５ａ2，５ａ3は、注視対象４ａに関連する関連情報である。関連情報５ａ1，５ａ2，５ａ3は、関連情報表示処理部１６３により、その対象４ａの近傍に表示される。このように表示されることによって、使用者は、重畳画像内に表示された関連情報５ａ1，５ａ2，５ａ3が、注視対象４ａについての情報に間違いないことを確信することができる。
【００４１】
次に、図６（ｂ）に示すように、注視点２が移動し、対象が注視対象４ａから他の注視対象４ｂへと移ったとする。この場合には、注視対象４ａに関連する関連情報５ａ1，５ａ2，５ａ3が、表示されなくなる。それとともに、注視対象４ｂに関連する関連情報５ｂ1，５ｂ2，５ｂ3が、関連情報表示処理部１６３によって、注視対象４ｂの近傍に表示される。
【００４２】
図６では、複数の関連情報を表示したが、関連情報は１つであっても構わない。また、複数の関連情報を表示するにあたって、関連情報表示処理部１６３は、複数の場所に重ならないように、関連情報を分けて同時に表示している。その際、注視対象の上側にはビルの名称、右側には電話番号、そして下側にはテナント数というように、関連情報の種類（あるいは、内容や項目）は表示位置に応じて決まっている。また、本実施例では、関連情報の種類（内容や項目）と表示位置との関係は、注視点２が移動し注視対象が他の対象へ移ったとしても変化しない。
【００４３】
なお、関連情報表示処理部１６３による表示方法は、図６（ａ），（ｂ）に示す方法に限られるものではない。例えば、図７に示すように、関連情報５ａ1，５ａ2，５ａ3の表示位置と注視対象４ａの位置との関係によって、関連情報の情報量（例えば文字数）を異ならせるようにしても良い。
【００４４】
また、注視点２からそれぞれの関連情報の表示位置までの距離に応じて、表示させる内容を変化させる（図８），表示させる情報量を変化させる（図９），表示色を変化させる（図１０）又は文字の大きさを変化させる（図１１）ようにしても構わない。また、注視対象に関連する複数の関連情報５を、図１２（ａ）のように複数の場所に分けて表示する代わりに、図１２（ｂ）のように全て一箇所にまとめて表示しても良い。
【００４５】
また、図１３（ａ）に示すように、注視点２に最も近い注視対象４ａについてのみ、関連情報５ａを表示する。そして、それよりも離れた他の注視対象については、関連情報５ｂ，５ｃ（破線で示す）を、表示しないようにしても良い。また、図１３（ｂ）のように、注視範囲２１の内部に存在する注視対象４ａ，４ｃだけについて、それぞれ関連情報５ａ，５ｃを表示する。そして、注視範囲２１の内部には存在しない注視対象４ｂについては、関連情報５ｂ（破線で示す）を表示しないようにしても良い。また、図１３（ｃ）のように、注視範囲２１の内部に表示することができる関連情報５ａのみを表示し、注視範囲２１の内部に表示することができない関連情報５ｂ，５ｃ（破線で示す）を表示しないようにしても良い。
【００４６】
本実施例では、図６で示したように、使用者の注視点が、ある注視対象から別の注視対象へと移動すると、関連情報を切り替えて表示するように構成されている。しかし、関連情報の切り替え表示方法は、その方法に限られるものではない。例えば、図１４に示すような方法を用いても良い。図１４に示す方法では、まず、ある時点では注視点２が、図１４（ａ）に示すように、注視対象４ａの位置にある。そして、注視対象４ａに関連する関連情報５ａが、その近傍位置に表示されている。次に、注視点２が、図１４（ｂ）に示すように、注視対象４ｂの位置に移動したとする。すると、関連情報５ａは表示され続けた状態で、注視対象４ｂに関連する関連情報５ｂが表示される。その後、一定時間が経過すると、関連情報５ａが表示されなくなり、関連情報５ｂのみが表示されつづけ、図１４（ｃ）の状態に至る。
【００４７】
なお、図１に示したように、本実施例の携帯情報端末装置は、情報入力部１２を有していてもよい。情報入力部１２があると、使用者がこの情報入力部１２を操作して、関連情報を表示したい注視対象を選択できるようにすることが可能となる。そこで、注視対象が予め選択されている場合に、その関連情報の表示方法について、図１５，１６を用いて説明する。
【００４８】
図１５は、表示方法の一例を示している。ここで、上記のように、使用者は、情報入力部１２を用いて、注視対象４ａをあらかじめ選択しているものとする。まず、使用者の注視点２が、図１５（ａ）に示すように注視対象４ｂの位置にあるとする。このとき、選択した注視対象４ａと、注視対象４ｂとの両方に、各々関連情報５ａ，５ｂが表示さる。次に、図１５（ａ）の状態から図１５（ｂ）に示すように、注視点２が、注視対象４ｃに移動したとする。この場合、注視点２の移動に伴い、注視対象４ｂについての関連情報５ｂは表示されなくなる。その代わりに、注視対象４ｃについての関連情報５ｃが表示される。一方、選択した対象４ａについての関連情報５ａは、注視点２の移動に関係なくそのまま表示されつづける。
【００４９】
また、図１６（ａ）で示すように、別の表示方法を用いても良い。すなわち、情報入力部１２によって、使用者が注視対象４ａを予め選択しておく。そして、注視対象４ａが注視範囲２１の内部に存在しない場合には、選択した注視対象４ａについての関連情報５ａは表示しない。一方、注視範囲２１が移動し、図１６（ｂ）に示すように、選択した注視対象４ａが注視範囲２１の内部に存在するようになったとする。そこで、関連情報５ａを表示する。このように、注視範囲２１を利用して、関連情報の表示・非表示を行っても良い。
【００５０】
また、本実施例における携帯情報端末装置では、関連情報表示処理部１６３は、注視点に存在する対象、注視範囲に存在する対象、又は情報入力部によって使用者が選択した対象について、各々関連情報を表示する場合、表示しない場合に関係なく、これらの対象を強調し特定するようにしても良い。その際、強調は、関連情報の表示・非表示とは無関係に行ってよい。強調の方法としては、例えば、これらの対象を矢印で指し示しても良いし、これらの対象の輪郭そのものを濃く表示しも良い。これらの方法の場合、矢印や輪郭を点滅させるようにすれば、より対象を強調することができる。
【００５１】
また、これらの対象の全体に所定の色を付すようにしても良い。そして、これらの対象に関連する関連情報を表示している場合には、その関連情報にも同じ色を付すことによって、より強調することができる。
【００５２】
また、重畳画像内でこれらの対象以外の領域をマスクして、これら対象以外の領域を見えなくしたり、見えづらくしても良い。さらに、これらの対象だけを他の対象よりも一回り拡大した拡大像として表示しても良い。さらに、これらの対象だけを立体感を強調しても良い。
【００５３】
なお、本実施例は携帯可能な情報端末装置として構成したものであるが、本発明の情報端末装置はこの形態に限られるものではない。例えば、上記したようなＨＭＤ装置に用いても良い。また、視線検出手段１４及び画像取得手段１５は、それらの少なくとも一方を、個別の装置として本体部１とは別体に備えても良いし、ビームコンバイナー１３に取り付けるようにしても良い。
【図面の簡単な説明】
【００５４】
【図１】携帯情報端末装置の外観構成を示す概略図である。
【図２】携帯情報端末装置の使用時の状態を上方から示した図である。
【図３】携帯情報端末装置の内部構成を示す概略図である。
【図４】ビームコンバイナーの画角と注視範囲との関係を説明するための模式図である。
【図５】弁別視野と注視範囲との関係を説明するための模式図である。
【図６】ビームコンバイナーに表示される重畳画像を示した図である。
【図７】関連情報の表示方法の一例を示す図である。
【図８】関連情報の表示方法の他の一例を示す図である。
【図９】関連情報の表示方法の他の一例を示す図である。
【図１０】関連情報の表示方法の他の一例を示す図である。
【図１１】関連情報の表示方法の他の一例を示す図である。
【図１２】関連情報の表示方法の他の一例を示す図である。
【図１３】関連情報の表示方法の他の一例を示す図である。
【図１４】注視点が移動した際の関連情報の表示方法の一例を示す図であって、（ａ）は注視点が移動する前の状態、（ｂ）は注視点が移動した直後の状態、そして（ｃ）は注視点が移動した後一定時間経過した状態を示したものである。
【図１５】注視点が移動した際の関連情報の表示方法の他の一例を示す図であって、（ａ）は注視点が移動する前の状態、（ｂ）は注視点が移動した直後の状態を示したものである。
【図１６】注視点が移動した際の関連情報の表示方法の他の一例を示す図であって、（ａ）は注視範囲内に選択した対象が存在しない状態、（ｂ）は注視範囲内に選択した対象が存在する場合を示したものである。
【図１７】表示素子またはビームコンバイナーに表示される画像を示した図であり、（ａ）は外界像、（ｂ）は電子像、（ｃ）は重畳画像を示す図である。
【符号の説明】
【００５５】
１            本体部
１１          表示素子
１１１        表示素子からの光
１２          情報入力部
１３          ビームコンバイナー
１４          視線検出手段
１５          画像取得手段
１６          信号処理手段
１６１        注視点特定処理部
１６２        注視範囲算出処理部
１６３        関連情報表示処理部
１７          画像情報処理手段
１７１        画像マッチング処理部
１７２        画像情報取得処理部
１８          データベース
１８１        データベースファイル
２            注視点
２１          注視範囲
３            弁別視野
４ａ，４ｂ，４ｃ      対象
５，５ａ，５ａ1，５ａ3，５ａ2，５ｂ，５ｂ1，５ｂ2，５ｂ3，５ｃ      関連情報
【図１】
2006119297.tif 000003
【図２】
2006119297.tif 000004
【図３】
2006119297.tif 000005
【図４】
2006119297.tif 000006
【図５】
2006119297.tif 000007
【図６】
2006119297.tif 000008
【図７】
2006119297.tif 000009
【図８】
2006119297.tif 000010
【図９】
2006119297.tif 000011
【図１０】
2006119297.tif 000012
【図１１】
2006119297.tif 000013
【図１２】
2006119297.tif 000014
【図１３】
2006119297.tif 000015
【図１４】
2006119297.tif 000016
【図１５】
2006119297.tif 000017
【図１６】
2006119297.tif 000018
【図１７】
2006119297.tif 000019